(57)【要約】      （修正有）【課題】ユーザが足をシューズ本体内に入れる際、弾性接続部材をユーザのかかとに嵌めることにより、シューズ本体が離脱し難くなるようにユーザの足部に密着し、ユーザが走行時にシューズ本体が脱げることを防止できるシューズを提供する。【解決手段】受容空間を有するシューズ本体１０と、弾性接続部材２０と、弾性接続部材の一端に設けられた第１の結合部２０１と、第１の結合部に対し、弾性接続部材の他端に設けられた第２の結合部２０２とを備え、第１の結合部が受容空間内の一方側に結合され、第２の結合部が受容空間内の他方側に結合されている弾性構造とを含む。【選択図】図２
0003182995.tif 000002
【実用新案登録請求の範囲】
【請求項１】
弾性接続部材と、
前記弾性接続部材の一端に設けられた第１の結合部と、
前記第１の結合部に対し、前記弾性接続部材の他端に設けられた第２の結合部とを備える、弾性構造。
【請求項２】
前記弾性接続部材は、さらに、第１の弾性接続部と、第２の弾性接続部とからなり、さらに、前記第１の弾性接続部の一端と前記第２の弾性接続部の一端とは互いに接続されていることを特徴とする請求項１に記載の弾性構造。
【請求項３】
前記第１の弾性接続部は、さらに、第１の弾性部と第１の嵌合部とを有し、前記第１の弾性部は、一端が前記第１の嵌合部内に接続され、前記第２の弾性接続部は、さらに、第２の弾性部と第２の嵌合部とを有し、前記第２の弾性部は、一端が前記第２の嵌合部内に接続され、前記第１の弾性部の他端が前記第２の弾性部の他端とは互いに接続されていることを特徴とする請求項２に記載の弾性構造。
【請求項４】
前記第１の弾性部の他端と前記第２の弾性部の他端とは、さらに、それぞれ面ファスナーであることを特徴とする請求項３に記載の弾性構造。
【請求項５】
前記第１の弾性部の他端と前記第２の弾性部の他端とは、さらに、それぞれ留め具であることを特徴とする請求項３に記載の弾性構造。
【請求項６】
前記第１の弾性部の他端と前記第２の弾性部の他端とは、さらに、それぞれ係合フックであることを特徴とする請求項３に記載の弾性構造。
【請求項７】
前記第１の嵌合部及び前記第２の嵌合部の一方側にさらに切欠きがそれぞれ設けられていることを特徴とする請求項３に記載の弾性構造。
【請求項８】
受容空間を有するシューズ本体と、
弾性接続部材と、前記弾性接続部材の一端に設けられた第１の結合部と、前記第１の結合部に対し前記弾性接続部材の他端に設けられた第２の結合部とを備え、前記第１の結合部が前記受容空間内の一方側に結合され、前記第２の結合部が前記受容空間内の他方側に結合されている弾性構造と、を含むシューズ。
【請求項９】
前記弾性接続部材は、さらに、第１の弾性接続部と、第２の弾性接続部とからなり、前記第１の弾性接続部が前記シューズ本体の受容空間内の一方側に結合され、前記第２の弾性接続部がシューズ本体の受容空間内の他方側に結合され、前記第１の弾性接続部の一端と前記第２の弾性接続部２２の一端とは互いに接続されていることを特徴とする請求項８に記載のシューズ。
【請求項１０】
前記第１の弾性接続部は、さらに、第１の弾性部と第１の嵌合部とを有し、前記第１の弾性部の一端が前記第１の嵌合部内に接続され、前記第２の弾性接続部は、さらに、第２の弾性部と第２の嵌合部とを有し、前記第２の弾性部の一端が前記第２の嵌合部内に接続され、前記第１の嵌合部の一方側が前記シューズ本体の受容空間内の一方側に結合され、前記第２の嵌合部が前記シューズ本体の受容空間内の他方側に結合され、前記第１の弾性部の他端が前記第２の弾性部の他端とは互いに接続されていることを特徴とする請求項９に記載のシューズ。
【請求項１１】
前記第１の弾性部の他端と前記第２の弾性部の他端とは、さらに、それぞれ面ファスナーであることを特徴とする請求項９に記載のシューズ。
【請求項１２】
前記第１の弾性部の他端と前記第２の弾性部の他端とは、さらに、それぞれ留め具であることを特徴とする請求項９に記載のシューズ。
【請求項１３】
前記第１の弾性部の他端と前記第２の弾性部の他端とは、さらに、それぞれ係合フックであることを特徴とする請求項９に記載のシューズ。
【請求項１４】
前記第１の嵌合部及び前記第２の嵌合部の一方側にさらに切欠きがそれぞれ設けられていることを特徴とする請求項９に記載のシューズ。
【考案の詳細な説明】
【技術分野】
【０００１】
本考案は、弾性構造及び弾性構造を用いたシューズに係り、特に、シューズ本体に弾性接続部材が結合されることで、ユーザがシューズ本体を履いた後弾性接続部材をかかとに嵌め、シューズ本体が離脱し難くなるようにユーザの足部に密着可能な脱落防止シューズ構造に関する。
【背景技術】
【０００２】
ハイヒールとは、かかとが特に高いシューズを指し、シューズを履くもののかかとがつま先より明らかに高い。ハイヒールを履けば、下腿の線が目立つように下腿から足の平までの曲線を延ばすことができ、腰部が真直ぐになり、歩く様子が変えられ、シューズを履く者によい姿勢をもたらし身長が高く見える。
【０００３】
ハイヒールを履くと歩く際の身体の姿勢がより美しくなるが、シューズを履く者が早く歩くと、かかとがハイヒールと離脱しやすくなり、ハイヒールが脱げることもあり、恥ずかしい思いをする。
【０００４】
以上に鑑みて、シューズ本体に弾性接続部材を結合し、ユーザがシューズ本体を履いた後、弾性接続部材をかかとに嵌め、シューズ本体が離脱し難くなるようにユーザの足部に密着可能な弾性構造及び弾性構造を用いたシューズを提供することが、本考案を創作する動機である。
【考案の概要】
【考案が解決しようとする課題】
【０００５】
本考案は、シューズ本体に弾性接続部材を結合することで、ユーザがシューズ本体を履いた後弾性接続部材をかかとに嵌め、シューズ本体が離脱し難くなるようユーザの足部に密着可能な弾性構造及び弾性構造を用いたシューズを提供することを主な目的とする。
【課題を解決するための手段】
【０００６】
前記目的を達成するため、本考案に係る弾性構造は、弾性接続部材と、前記弾性接続部材の一端に設けられた第１の結合部と、前記第１の結合部に対し、前記弾性接続部材の他端に設けられた第２の結合部とを備える。
【０００７】
さらに、本考案に係るシューズは、受容空間を有するシューズ本体と、弾性接続部材と、前記弾性接続部材の一端に設けられた第１の結合部と、前記第１の結合部に対し、前記弾性接続部材の他端に設けられた第２の結合部とを備え、前記第１の結合部が前記受容空間内の一方側に結合され、前記第２の結合部が前記受容空間内の他方側に結合されている弾性構造とを含む。
【０００８】
よって、ユーザが足をシューズ本体内に入れる際、弾性接続部材をユーザのかかとに嵌めることにより、シューズ本体が離脱し難くなるようにユーザの足部に密着し、ユーザが走行時にシューズ本体が脱げることを有効に防止できる効果を達する。
【図面の簡単な説明】
【０００９】
【図１】本考案の第１実施例の構造を示す図である。
【図２】本考案の第１実施例の使用状態を示す図である。
【図３】本考案の第２実施例の構造を示す図（一）である。
【図４】本考案の第２実施例の構造を示す図（二）である。
【図５】本考案の第２実施例の使用状態を示す図である。
【図６】本考案の第３実施例の構造を示す図である。
【図７】本考案の第３実施例の使用状態を示す図である。
【考案を実施するための形態】
【００１０】
本考案の特徴、特点及び技術内容をさらに深く理解するため、以下の本考案に係る詳細説明及び添付図面を参照する。前記添付図面は参考や説明のみに提供され、本考案を限定するものではない。
【実施例】
【００１１】
図１〜図７に示すように、本考案に係る弾性構造２は、弾性接続部材２０と、弾性接続部材２０の一端に設けられた第１の結合部２０１と、第１の結合部２０１に対し、弾性接続部材２０の他端に設けられた第２の結合部２０２とを備える。
【００１２】
また、弾性接続部材２０は、さらに、第１の弾性接続部２１と、第２の弾性接続部２２とを備え、さらに、第１の弾性接続部２１の一端と第２の弾性接続部２２の一端とは互いに接続されている。
【００１３】
また、第１の弾性接続部２１は、さらに、第１の弾性部２１１と第１の嵌合部２１２とを有し、第１の弾性部２１１は、一端が第１の嵌合部２１２内に接続されている。また、第２の弾性接続部２２は、さらに、第２の弾性部２２１と第２の嵌合部２２２とを有し、第２の弾性部２２１は、一端が第２の嵌合部２２２内に接続され、第１の弾性部２１１の他端が第２の弾性部２２１の他端とは互いに接続されている。
【００１４】
第１の弾性部２１１と第２の弾性部２２１とをより接続固定しやすくするために、さまざまな結合方式がある。第１の弾性部２１１の他端と第２の弾性部２２１の他端とは、さらに、マッジクテープ、留め具、係合フックにより結合固定してもよい。
【００１５】
また、第１の嵌合部２１２及び第２の嵌合部２２２の一方側にさらに切欠き３１１、３２２がそれぞれ設けられ、未使用時に、切欠き３１１、３２２により第１の弾性部２１１と第２の弾性部２２１とを第１の嵌合部２１２及び第２の嵌合部２２２内にそれぞれ隠し、外見が綺麗な効果を備える。
【００１６】
さらに、図１〜図２は、本考案の第１実施例を示す図である。図１〜図２を参照する。
本考案に係るシューズは、受容空間１１を有するシューズ本体１０と、弾性接続部材２０と、弾性接続部材２０の一端に設けられた第１の結合部２０１と、第１の結合部２０１に対し弾性接続部材２０の他端に設けられた第２の結合部２０２とを備え、第１の結合部２０１が受容空間１１内の一方側に結合され、第２の結合部２０２が受容空間１１内の他方側に結合されている弾性構造２とを含む。
【００１７】
よって、ユーザが足をシューズ本体１０内に入れる際、弾性接続部材２０をユーザのかかと４０に嵌めることにより、シューズ本体１０が離脱し難くなるようにユーザの足部に密着し、ユーザが走行時にシューズ本体１０が脱げることを有効に防止できる効果を達する。
【００１８】
図３〜図５は、本考案の第２実施例を示す図である。図１〜図２に併せて図３〜図５を参照する。
第２実施例と第１実施例との構造上の違いは、以下の点である。弾性接続部材２０が、さらに、第１の弾性接続部２１と、第２の弾性接続部２２とを備え、第１の弾性接続部２１がシューズ本体１０の受容空間１１内の一方側に結合され、第２の弾性接続部２２がシューズ本体１０の受容空間１１内の他方側に結合され、第１の弾性接続部２１の一端と第２の弾性接続部２２の一端とは互いに接続されている。
また、第１の弾性接続部２１は、さらに、第１の弾性部２１１と第１の嵌合部２１２とを有し、第１の弾性部２１１の一端が第１の嵌合部２１２内に接続され、第２の弾性接続部２２は、さらに、第２の弾性部２２１と第２の嵌合部２２２とを有し、第２の弾性部２２１の一端が第２の嵌合部２２２内に接続される。第１の嵌合部２１２の一方側がシューズ本体１０の受容空間１１内の一方側に結合され、第２の嵌合部２２２がシューズ本体１０の受容空間１１内の他方側に結合され、さらに、第１の弾性部２１１の他端が第２の弾性部２２１の他端とは互いに接続されている。
ここで、第１の弾性部２１１の他端と第２の弾性部２２１の他端とは、さらに、それぞれ面ファスナー、留め具、係合フックであってよい。面ファスナー、留め具、係合フックをそれぞれ用いて第１の弾性部２１１の他端と第２の弾性部２２１の他端とを互いに粘着、係合またはフックすることにより、第１の弾性部２１１と第２の弾性部２２１とを一体に結合するとともに、第１の弾性部２１１と第２の弾性部２２１とをユーザのかかと４０に嵌め、シューズ本体１０が離脱し難くなるようにユーザの足部に密着し、ユーザが走行時にシューズ本体１０が脱げることを有効に防止できる効果を達する。
【００１９】
図６〜図７は、本考案の第３実施例を示す図である。図１〜図５に併せて図６〜図７を参照する。
第３実施例と第２実施例との構造上の違いは、以下の点である。第１の嵌合部２１２及び第２の嵌合部２２２の一方側にさらに切欠き３１１、３２２がそれぞれ設けられ、切欠き３１１、３２２により第１の弾性部２１１と第２の弾性部２２１とを第１の嵌合部２１２及び第２の嵌合部２２２内に隠し、外見が綺麗な効果を備える。
使用時には、第１の弾性部２１１を第１の嵌合部２１２の切欠き３１１から取り出し、第２の弾性部２２１を第２の嵌合部２２２の切欠き３２２から取り出し、さらに、第１の弾性部２１１の他端と第２の弾性部２２１の他端とをそれぞれ接続する。第１の弾性部２１１と第２の弾性部２２１とが一体に結合されることで、第１の弾性部２１１と第２の弾性部２２１とをユーザのかかと４０に同時に嵌めることができ、シューズ本体１０が離脱し難くなるようにユーザの足部に密着し、ユーザが走行時にシューズ本体１０が脱げることを有効に防止できる効果を達する。
未使用時には、切欠き３１１、３２２により第１の弾性部２１１と第２の弾性部２２１とを第１の嵌合部２１２及び第２の嵌合部２２２内にそれぞれ隠せば、シューズ本体１０の外見に影響されず、綺麗且つ実用的な効果を備える。
【００２０】
上述した本考案の特長を以下のとおりにまとめる。
１．本考案は、使用時に弾性接続部材をユーザのかかとに嵌めることができるため、シューズ本体が離脱し難くなるようにユーザの足部に密着し、ユーザが走行時にシューズ本体が脱げることを有効に防止できる効果を達する。
２．本考案は、未使用時には、切欠きにより第１の弾性部と第２の弾性部とを第１の嵌合部及び第２の嵌合部内にそれぞれ隠し、シューズ本体の外見に影響せず、綺麗且つ実用的な効果を備える。
【００２１】
以上は、単に本考案の好ましい具体的な実施例に過ぎず、本考案の実用新案登録請求の範囲を限定するものではない。本考案の実用新案登録請求の範囲及び明細書の内容によって実施した簡単的等価な変更や修飾などが、本考案の主張範囲内に納入されるべきことは言うまでもない。
【符号の説明】
【００２２】
２      弾性構造
１０    シューズ本体
１１    受容空間
２０    弾性接続部
２１    第１の弾性接続部
２２    第２の弾性接続部
４０    かかと
２０１  第１の結合部
２０２  第２の結合部
２１１  第１の弾性部
２１２  第１の嵌合部
２２１  第２の弾性部
２２２  第２の嵌合部
３１１  切欠き
３２２  切欠き
【図１】
0003182995.tif 000003
【図２】
0003182995.tif 000004
【図３】
0003182995.tif 000005
【図４】
0003182995.tif 000006
【図５】
0003182995.tif 000007
【図６】
0003182995.tif 000008
【図７】
0003182995.tif 000009